(57)【要約】【課題】近年ペットとしての猫飼育する人口が増え、猫トイレ用品が多く出回っているが猫トイレに用いる猫砂は、水洗トイレに流し処理できず、朝夕毎日糞尿の煩わしい処理をこなしている。猫砂の処理はゴミとして処理するがゴミ回収日までの間保管する事になるが、特に夏場は臭いの発生に気を使っての保管である。【解決手段】毎日の糞尿の処理を、バイオトイレを撹拌するだけで糞尿が分解され、清掃の煩わしさから解放される。又、本発明のバイオトイレに使用するバイオチップの猫砂は凝固剤、糊接着剤を用いていない為、水洗トイレ下水管に流せるチップを使用している。猫汚物の処理を必要とせず、チップを下水に流せる等、保管時の臭いが発生しない等清潔である。構造が極めて簡単な為、安価なバイオトイレを提供出来る。【選択図】  図4
2019024460.tif 000002
【特許請求の範囲】
【請求項１】
猫用バイオトイレチップと猫用バイオトイレチップを撹拌する撹拌機、猫用バイオトイレチップを排出する開口部から成る猫用バイオトイレ。
【請求項２】
猫用バイオトイレチップを撹拌する攪拌機の撹拌爪を回転する撹拌機水平軸の１８０度以内に放射状に互いに異なる角度で設けた撹拌爪である事を特徴とする請求項1の猫用バイオトイレ。
【請求項３】
撹拌爪先端部に自在に回る糞破砕爪を設けた事を特徴とする1又は２の猫用バイオトイレ。
【請求項４】
猫用バイオトイレチップ収納容器内に、基準量を超えた猫用バイオトイレチップを容器外に放出する網目で覆った開口部を設け、該開口部を開閉する蓋を併せ設けた事を特徴とする特許請求項３の猫用バイオトイレ。
【請求項５】
加熱煮沸殺菌し無菌化した、大鋸屑、もみ殻及び活性炭に枯草菌を加えたものを圧縮し固形状のペレットのチップとして、他の凝固剤、接着剤、香料等を加えない無添加の圧縮固形状の猫用バイオトイレのチップとした事を特徴とする請求項4の猫用バイオトイレ。
【請求項６】
殺菌し無菌化した気密性の高い密封容器内に、加熱煮沸殺菌し無菌化した、大鋸屑、もみ殻及び活性炭に枯草菌を加えたものを猫用バイオトイレのチップとした事を特徴とする請求項4又は5の猫用バイオトイレ。
【発明の詳細な説明】
【技術分野】
【０００１】
本発明は、猫砂、トイレに関するものである。
【背景技術】
【０００２】
屋内で飼育する猫の糞尿に用いる猫トイレには、古紙、パルプ、大鋸屑等の圧縮固形物のペレット状の猫砂を用いてし尿糞などをこのペレットに吸着絡ませ凝固させて処理するものである。
【０００３】
この猫砂であるペレットは、糞尿の処理を容易にする為、ペレットにし尿を固める糊接着剤等の凝固材が混入している。
【０００４】
この為、糞尿で固まった猫砂をトイレに流すと、下水管に接着凝固し猫砂が詰まる為、水洗トイレの下水管に流しての処理は出来なかった。
【０００５】
糞尿にまみれた猫砂をゴミとして処理する為、ゴミ回収日までの間保管するが、保管期間、臭いの発生に苦慮している。
【０００６】
保管時の糞尿にまみれた猫砂からの悪臭を抑える為に、猫砂であるペレットに、凝固剤、接着剤の他に、香料、活性炭等の臭い吸着材等を加えたもの等が多く市販されている。
【０００７】
又、猫砂であるペレットには、木質、檜、杉等の大鋸屑、古紙、パルプ等を用い凝固剤、接着剤を加えたもので、圧縮しペレットの固形物としたものが主で、凝固剤を加えないとし尿などを吸着すると、粉状の粉末に戻り糞尿等を含んだバラバラの粉末をかき集め捨てる処理に手数を必要とする為に凝固剤、接着剤の糊等を加えているものである。
【０００８】
この為、猫砂を水洗トイレ等に誤って捨てた場合、トイレ、下水管内の水分を吸着し猫砂が膨らみトイレ、下水管等に接着、凝固して下水管の詰まりが発生する。
【０００９】
上記記述したように、市販の猫砂であるペレットは、下水管に捨てる事が出来ず、夏場は特にゴミ回収日までの間、臭いの発生に気を遣いながらの保管であった。
【先行技術文献】
【特許文献】
【００１０】
【特許文献１】特開2008-259483
【特許文献２】特開2002-176876
【発明の概要】
【発明が解決しようとする課題】
【００１１】
猫の糞尿から発生する悪臭を解決するには、排泄した糞尿の猫砂を保管する事無く、排泄された糞尿を分解菌を用い分解するか、猫トイレから取り出して水洗トイレの下水管に流せるようにする為に、凝固剤、接着剤が配合されていないペレットのチップにする、この糞尿を浴びてペレットが崩壊して粉末となったこのチップを如何に簡単に拾い集め処理するかである。
【課題を解決するための手段】
【００１２】
猫用バイオトイレで用いる猫砂であるバイオチップは、凝固剤接着剤を加えていないチップを用いペレットにし尿を吸着させ、粉、顆粒状に崩壊、分解したし尿を含んだ粉、顆粒状のバイオチップをトイレの下水管に捨てて流せるようにする。
【００１３】
本は発明のバイオチップは、あえて凝固剤を加えていない為、急速にし尿を吸着しペレットの固形物から粉、顆粒状の大鋸屑、もみ殻、活性炭に崩壊し、バラバラになる事で、粉、顆粒状となった大鋸屑、もみ殻に付着生存している分解菌がより多く空気に触れるようになり菌の活性がより活発になり又、顆粒となった活性炭がより効率よくし尿臭を吸着できる。
【００１４】
このし尿を含み粉、顆粒状の膨らんだチップが容器内で基準量を超えることとなり、トイレ容器内一端に設けて有る荒目の網の目でふさいだ開口部より撹拌機に押し吐き出され容器下部の受け皿であるトレイに落下する。
【００１５】
トレイのチップを水洗トイレ下水管に投棄する事で保管を必要とせず、保管時のし尿から発生する臭いから解放される。
【００１６】
糞は撹拌機で撹拌され砕かれバイオ分解菌である、枯草菌により二酸化炭素、水蒸気に一昼夜かけて分解される事になる。
【発明の効果】
【００１７】
本発明のペレットのバイオチップが糞尿に触れるとバラバラの大鋸屑、もみ殻、活性炭に崩壊し分離する為、ペレットの固形物の状態よりも分解菌が空気に触れる面が多くなり活性が活発になり糞尿をより効果的に分解する、トイレ容器のチップからの悪臭の発生が無く、し尿を含んだチップが凝固剤、接着剤が添加していない為、下水管に捨てられる等、猫砂の清掃の煩わしさからの解消が出来又、本発明の猫用バイオトイレを用いると、従来よりも猫トイレの糞尿に用いる猫砂のチップの消費するチップ量が少なくて済む利点などがある。
【図面の簡単な説明】
【００１８】
【図１】本発明の箱型猫用バイオトイレ1の全体斜視図。
【図２】本発明の箱型猫用バイオトイレ2の全体斜視図。
【図３】本発明の丸形猫用バイオトイレの斜視図。
【図４】本発明の猫ケージを兼ねたポータブル型の猫用バイオトイレの斜視図。
【図５】バイオチップ容器内に撹拌機を設け一体のトイレとした斜視図。
【図６】バイオトイレ上部からトイレを見た斜視図。
【図７】バイオトイレ上部からトイレを見た拡大斜視図。
【図８】攪拌機の撹拌爪を回転する撹拌機水平軸の１８０度以内に放射状に互いに異なる角度で設けた撹拌爪の配置図。
【図９】撹拌爪先端部に、糞破砕爪を設ける部品図。
【図１０】排出されるバイオチップを受けるトレイ。
【図１１】角型バイオトイレの側面斜視図。
【図１２】角型バイオトイレの丸型ハンドルを取り外した側面斜視図。
【図１３】角型バイオトイレの側面を取り外した側面斜視図。
【図１４】バイオトイレ容器下部のバイオチップ放出開口部の開閉蓋を閉じた状態の部分拡大斜視図。
【図１５】バイオトイレ容器下部のバイオチップ放出開口部の開閉蓋を開いた状態の部分拡大斜視図。
【発明を実施するための形態】
【００１９】
本発明のペレットのバイオチップには、凝固剤、接着剤を用いていない為に、糞尿がチップに触れると従来の市販されている猫砂ペレットより、し尿を急速に吸着しペレットの崩壊が始まりバラバラの顆粒状の大鋸屑、もみ殻、活性炭等に戻る、顆粒状に分離したチップとなる事で、空気に触れるチップ面が大きくなり分解菌の活性がより活発になる。  
【００２０】
猫がバイオトイレに排泄したのを確認後、撹拌機の丸ハンドルを回し、撹拌機爪を回転させる。
【００２１】
この崩壊した顆粒状のチップを撹拌機ハンドルを回す事で顆粒状となったチップがトイレ容器内一端に設けてある開口部の網目からトイレ容器下部のチップを受けとるトレイ容器に落下するが、し尿を含んだチップの含水量が少ない場合は、分解菌の活性が活発に活動できるため、開口部の蓋を閉め分離したペレットを容器内に留め分解菌で糞尿を分解させる。
【００２２】
ペレットの排出開口蓋を閉ざす事で、し尿を含んだ分離したチップ、し尿を吸収できなかったペレット等のチップは、開口部の網目を通り排出される事なく、容器内を撹拌機で撹拌機の爪、糞破砕爪等で撹拌され一昼夜かけて、糞、し尿が二酸化炭素、水蒸気に分解される。
【００２３】
バイオトイレ容器内の糞尿を浴び崩壊し粉、顆粒状となったチップを集め拾い取る手数を必要とせず、開閉蓋を開くとし尿を含み過剰水分となったチップが攪拌機で押し出され排出されトイレ容器下部のトレイに堆積し、このし尿を含んだチップを下水管に捨てるだけで排泄作業が容易で有る又、顆粒状となったチップに活性炭等が混入している為、トレイに堆積している間は臭いの発生を抑える。
【００２４】
排出され少なくなったバイオチップを必要に応じて補充する。
【００２５】
このように、し尿、糞を分離し、し尿のみ含んで崩壊した猫砂バイオチップだけを取り出す事も出来、従来、糞、し尿にまみれた猫砂の凝固したものを捨てるのと異なり、猫砂であるチップの消耗が少なくて済み経済的でもある。
【００２６】
本発明の撹拌機に用いている撹拌爪、糞破砕爪等は、回転する撹拌軸半径一端内に放射状に互いに角度を変えて設けてある図8。
【００２７】
猫には、排泄した排泄物を後ろ脚で砂等を掛けて隠す習性が有る。
【００２８】
本発明では撹拌機の爪が、トイレ容器撹拌軸下部に回転し止め置く事で、後ろ足で砂をかける猫の習性を妨げないように、撹拌機の爪が障害とならないように軸半径内半分内に放射状に設けたものである図8。
【００２９】
軸半径内半分内の撹拌爪が容器撹拌軸下に止め置く事で、軸上部には撹拌爪が突出しない為に、猫が排泄後の糞尿に砂をかける行為の妨げにならず又、糞を効率よく破壊する為、撹拌爪内に自在に回転する部材両端に鋭利の突起部を設けたものである図8。
【００３０】
本発明では、猫の糞を分解するバイオチップには、大鋸屑、もみ殻、活性炭の顆粒状のものを、圧縮しペレット化したものである。
【００３１】
大鋸屑の圧縮時に発生する熱で表面熱硬化されたもので、接着剤、糊、凝固材等の添加剤を加えていない為、し尿などの水分の吸着速度が極めて速い。
【００３２】
チップの排出開口部を金網で覆い開閉する蓋を併せ設けた容器にする事で、構造が極めてシンプルな猫用バイオトイレが出来、経済性に富んだ安価製品となる。
【００３３】
バイオトイレの欠点である、バイオチップが水分過多に陥ると、分解菌の活性が衰え分解できないと言う欠点があったが、本発明では、猫が排泄したし尿のみ吸着されたチップを排出口の開閉する蓋の調整で、撹拌機で吐き出し分離しトレイに捨てる事で、撹拌容器内のバイオチップが過剰水分に陥るのを防ぐ事ができた。
【実施例】
【００３４】
猫用バイオトイレを構成する部品を、実施例を基に以下説明するが大きさ寸法等は実施例に囚われるものではない。
【実施例１】
【００３５】
図1、図2、図3、図4は本発明の猫用バイオトイレで有る。
【００３６】
図1、図2の箱型バイオトイレを基に以下説明する。
幅約４５cm、高さ約５５cm、奥行き約５０cmチップ挿入時の重さ６．５kg、トイレ持つ手口を持って簡単に移設出来る大きさ重さで有る。
【００３７】
本発明の猫用バイオトイレは、バイオチップ容器内に撹拌機を設け一体のトイレとして図５このトイレを、外箱ケース底の下から挿入しノブボルト（13）、4本で組み立てられて造られたもので、清掃時、トイレ容器、外箱を分離する事で清掃が容易にした猫用バイオトイレで有る。
【００３８】
図３、図４の猫用バイオトイレも、大きさ、形状は、異なるが基本構造は図1、図２と同じで有る。
【００３９】
図１、図２の猫用バイオトイレに装着されている本発明のバイオチップ容器及び撹拌機の特徴を図５を基に以下説明する。
【００４０】
図５は、バイオトイレ容器内に撹拌機を設けた斜視図である撹拌機を回す丸型ハンドル（4）は取り外してある。
【００４１】
図５容器内両端にバイオチップ排出口（11）を設けてある。
【００４２】
この排出口には、番手♯16のステンレスメッシュで覆っている。
【００４３】
バイオトイレ容器（10）は、下半部が半円形の容器で半円径中心に撹拌機の回転する軸（６）が設けている。
【００４４】
この軸両端に、軸を回す丸型ハンドル（4）を取り付け設けて撹拌機の爪等を回し撹拌するものであるが図5ではハンドルを取り外している。
【００４５】
撹拌機の回転軸に、撹拌爪（8）、撹拌爪内に自在に回転する、糞破砕爪（9）を、設けている図6、図7、図8。
【００４６】
撹拌機軸に設けている撹拌爪は、軸半径内一端に放射状に、爪同士が互いに異なる角度で設けてある図8、本撹拌機では、45度角度を変えて設け製作している。
【００４７】
この撹拌軸半径内に半円形状に撹拌爪を設けてあるのは、猫の習性である、糞尿後、後ろ足で砂等で覆い隠そうとする行為の時、撹拌爪がトイレ容器内の撹拌軸の上半部に突き出た状態となった場合、猫の排泄時の障害、習性の妨げとなるので、容器内の撹拌軸下半部に撹拌爪が止め置きが出来るように撹拌軸半分内に設置した撹拌爪の配置図8である。
【００４８】
撹拌爪（8）内に設けてある糞破砕爪（9）である。
【００４９】
糞破砕爪は撹拌爪内にリベット（14）で糞破砕爪が軽く回転できる程度の圧着で固定する図9参照。
【００５０】
糞破砕爪は両端鋭利に尖っているもので、糞に食い込み破砕するもので、軸回転時、破砕爪に加わる抵抗、圧力等で自在に回転するように駆動するものである。
【００５１】
撹拌爪（8）は、本発明では5本の爪を放射状に、約45度の異なる角度で回転軸半分に設けているが、トイレ容器の大きさ等で、容器にあった適度な爪の本数を用いる。
【００５２】
バイオチップの排出口（11）は容器内に設けている。
【００５３】
トイレ容器内のバイオチップ（７）が図４し尿を受け顆粒状に分解崩壊し、チップ量が増え、容器内に多くなると、撹拌機回転時負荷抵抗が増し顆粒となったバイオチップが容器壁際に押され開閉蓋（15）を開くと排出口（11）からトイレ容器外に排出される。
【００５４】
撹拌機回転時にし尿を含み分離顆粒となったバイオチップのみが通る大きさのステンレス網が排出口を塞いでいる。
【００５５】
本発明での排出口にバイオペレットのチップが通り抜けが出来ない大きさの番手♯16ステンレスメッシュを設けている。
【００５６】
番手♯16ステンレスメッシュは、バイオチップがし尿を含み崩壊した粉、顆粒状となって過剰水分となったチップが撹拌機回転時のチップに加わる圧力で押されくぐり抜ける網の目の大きさである。
【００５７】
本発明のバイオトイレ容器排出口を覆う網目の大きさは、番手♯16ステンレスメッシュを用いているが、ペレット内の圧縮固形されているバイオチップの大鋸屑等の大きさに合わせ、用いても良く、使用されているペレットの大鋸屑等に適した目の粗い番手♯14ステンレスメッシュ等でも良い。
【００５８】
本発明では、排出口を容器内上部に設けているが、必ずしも上部でなくても、又容器底等に設けて網目を塞ぐフタ等を設けフタの開閉で崩壊した粉、顆粒状のチップのみを排出できるトイレ容器としても良い図14、15。
【００５９】
排出口（11）から排出された顆粒状のバイオチップを受け取る容器のトレイ（5）はトイレ容器下部一体を受ける幅の大きさの容器のトレイで有る図10。
【００６０】
容器トレイ（5）は、バイオトイレ容器（10）下部に設け前面下部より引き出し、出し入れが出来るように設けたものであるトレイ容器図10。
【００６１】
本発明のバイオチップは、杉材大鋸屑、もみ殻、竹炭等の顆粒状の大きさのものを圧縮しペレットにしたもので、ペレットの大きさは、直径5mm長さ5〜10mm前後の大きさの選別されたペレットを用いていが多少大きくとも良い。
【実施例２】
【００６２】
実施例2では、本発明の猫用バイオトイレの使用方法、機能、チップ交換等実施にあたっての手順等を記載する。
【００６３】
本発明の猫用バイオトイレは、毎日の猫トイレの清掃及び消費する猫砂の問題点を解決する為に、この煩わしい作業をバイオトイレを用いる事でより簡単に済ませる事が出来るように発明されたものである。
【００６４】
図1，2を基に使用及び手順を説明する。
【００６５】
箱型猫バイオトイレは縦55cm奥行き50cm幅40cmバイオトイレ容器内に用いるバイオチップ量は、約18Lから20Lである。
【００６６】
上記のチップの量をトイレ容器に挿入すると、撹拌軸上約６〜8cm程隠れる量のチップである。
【００６７】
撹拌軸6〜8cm程が隠れる多さのチップとする事で、猫が排泄物に後ろ足でチップを被せ隠す習性の仕草に支障なく出来るチップの量である。
【００６８】
排出されチップが少なくたった場合上記記載した程度になるようにバイオチップを補充する。
【００６９】
上記記載した以上多くのチップを補充すると、撹拌機を回す時負荷が大きくなり又、撹拌の効率が悪くなり糞が破砕出来ず、固形物のまま乾燥し硬くなり砕く事が出来なくなります。
【００７０】
又、糞が硬く固形物のまま使用すると、分解が進まず、糞からの臭いが発生します。
【００７１】
猫が糞尿をした時、バイオトイレ両側に設けてある撹拌機のハンドルを両手で手前側に回し撹拌爪で排泄物を破砕しながらバイオチップにかき混ぜ撹拌作業をします。
【００７２】
通常は、排泄後7〜8回ハンドルを回すと撹拌が出来ます。
【００７３】
し尿をおびたペレットは、かき混ぜられ顆粒となりペレット間に混ざり合い混合しペレットが撹拌時容器内を回転します。
【００７４】
又、混ざり合い混合したペレットが分解菌で糞尿が分解されます。
【００７５】
トイレ容器内の固形のペレットが少なくなりバイオトイレ内の顆粒となったチップが多く湿り過剰水分に陥り、糞尿の臭いがしてきた場合はハンドルを随時、こまめに回し湿気を飛ばしますが、撹拌機を回しているうちに開閉蓋を開いておくと一部チップが排出されてトレイに堆積します。
【００７６】
トレイに堆積したチップを下水管に捨てて処理します。
【００７７】
チップを適度補充しトイレを継続使用しますが、時には過剰水分が解消できず糞尿が分解できず、効果が無い場合は、バイオトイレを新聞紙等を敷いた上にトイレを裏返しにしてハンドルを回しチップをトイレ容器から排出します。
【００７８】
裏返しにして取りだしたバイオチップの量が約約20L前後と多く出ます。
【００７９】
この大量のバイオチップをトイレ等に一度に流すとトイレの下水管が詰まります小分けにして流すか、又は、燃えるゴミとして処理します。
【００８０】
又は、交換したバイオチップは、家庭園芸の堆肥、土壌改良剤等として用いても良い。
【００８１】
本発明のバイオトイレに市販の猫砂を誤って加えて使用すると、撹拌機に接着まとわり付き又、排出口の網に粘着しバイオトイレの攪拌機が故障し壊れます。
【００８２】
長期間チップを交換せずに使用続けると、バイオチップの色が茶色に変色してきますが、臭いの発生が無ければ分解菌が活性している証で継続し使用できます。
【００８３】
使用中、撹拌機のハンドルが重くなった場合、又は顆粒状となったバイオチップが過剰水分をとなり、粘土化した場合はチップを交換します。
【００８４】
糞尿はバイオ菌で分解されますが、糞は比較的早く分解されますが、し尿は分解するには時間がかかります。
【００８５】
糞尿が分解菌で二酸化炭素水蒸気に分解され、この時こまめに撹拌機を回す事でチップ内の水蒸気の停滞を防ぎます。
【００８６】
この撹拌を怠ると、チップ内に分解した水蒸気が停滞し、水分過多となり、チップ内に空気に触れる面が少なく、分解菌の活性が衰え、分解できず益々水分過多となります。
【００８７】
対応処置として、チップを交換入れ替えするか、屋外の日当たりのよい直射日光を当て適時撹拌機を回し加温しながら通気して湿気を飛ばします。
【００８８】
図4記載のバイオトイレは、旅行、ドライブ等に猫を入れて連れて行く時の猫ケージ下部にバイオトイレを設けたもので有る。
【００８９】
踏み板（2）を立てると猫が逃避出来ないケージの扉となる。
【００９０】
猫を飼育している方にとっては、猫を置いて旅行が出来ず、置いて旅行をする場合、知り合い、動物病院、猫を預かってくれる、高価であるが猫ホテル等に預ける等をしている。
【００９１】
近年、ペット歓迎の旅館ホテルも出来、この様な時に通常は猫バイオトイレとして使用し、連れて歩出かける猫ケージ付きバイオトイレとしても活用出来る。
【実施例３】
【００９２】
実施例3では図14、図15のバイオトイレに設けた排出口フタに関する本トイレのフタを設けたバイオトイレの使用方法効果機能を述べる。
【００９３】
図14、図15の排出口の開閉に用いている、蓋はバイオトイレ下部底に設けているが、必ずしもトイレ容器底下設けなくとも、容器上部、又は上端に設けても良い蓋の用いた効果は同じである。
【００９４】
開閉蓋（15）は、トイレ容器内の顆粒となったバイオチップの排出を制御、排出可能にする蓋機能を持たせたものである。
【００９５】
し尿糞を浴びて顆粒となって容器内に存在しているチップは、分解菌で糞尿を通常分解するが、時にし尿が多くトイレに排泄されチップが過剰水分に陥りし尿を分解できず、顆粒となったチップが粘土状に陥る場合が有る。
【００９６】
この様な状態に陥ってしまった場合でも、本発明の排出口に開閉蓋が付いたトイレの場合は、速やかに粘土状のチップを開閉蓋（15）を開き図15撹拌機のハンドルを回しチップを半分ほど吐き出し蓋をして新規のバイオチップを補充し撹拌機を回し補充した新たなチップに過剰水分となったチップの湿気を吸着させ撹拌する事で、バイオトイレチップとして継続し使用出来るようになる。
【００９７】
バイオトイレに（15）の開閉蓋が付いていないバイオトイレでは、過剰水分となり一度チップが粘土状に陥った場合は、バイオトイレ容器内のチップ全て交換する必要が生じた。
【００９８】
トイレのチップの状態を観察し、排出口に蓋が有る事で、過剰水分を含んだチップの度合いを確認し交換が必要と思われる過剰成分のチップを適度の量の取り出しが容易にできる。
【００９９】
取りだしてトイレ容器内のチップが不足になったバイオチップを新規補給する事で、補給されたチップが他の過剰水分となったチップから水分を吸着する事になり、撹拌機を回し撹拌操作を続けると過剰水分のチップの水分が飛びバイオ菌が活性出来るチップに戻る。
【０１００】
この様に、バイオトイレ容器内に開閉する蓋部材を設ける事で、容器内のチップの状況を見てチップの排出補充交換が端的、簡単にでき、バイオチップの使用状況管理が容易になる。
【実施例４】
【０１０１】
実施例3では、過剰水分に陥ったバイオチップに対する対応等を述べたが、実施例4では、過剰水分となって悪臭が発生するようになった場合、バイオチップを交換する事になるが、本トイレをひっくり返し交換する作業は前記記載しているが、排出口を覆う網部（12）を開閉部材の蝶番を設け開閉する排出口網部材とする。
【０１０２】
開閉する排出口網部材とする事で、この網部材を開き撹拌機のハンドルを回し続けると、過剰水分となったバイオチップがトイレ容器下部に設けているトレイ符号5に排泄され、トレイに排泄されたチップを捨てるだけで交換済む。
【０１０３】
蝶番を設け開閉する排出口網部材とする事で、交換時トイレをひっくり返しての交換の煩わしさから解放される。
【実施例５】
【０１０４】
実施例5では、本発明のペレットのバイオチップの特徴、市販されているペレットとの違いについて述べる。
【０１０５】
猫砂ペレットは、上記記載し述べているが、大鋸屑、古紙、パルプ、香料、活性炭、ゼオライト等色々なものを加え、更に凝固剤、接着剤等を添加して、圧縮し固めたペレットで雑菌なども生息するペレットである。
【０１０６】
猫の糞尿を猫トイレから取り出す清掃作業では、猫トイレの猫砂であるペレットを掬い取る時掬いヘラ等で容易にすくい取り易いように接着、凝固剤を加えたペレットである。
【０１０７】
本発明のペレットは、糞尿を分解する菌は枯草菌を用い活用している。
【０１０８】
枯草菌は、耐熱菌で他の空気中に浮遊するカビ菌や他の菌等は65度以上に加温、又は加熱すると、ほとんどのこれらの菌は死滅する。
【０１０９】
65度以上の加熱、煮沸しても生き延びる菌は、この枯草菌（納豆菌等ともいわれている）だけと言われている。
【０１１０】
枯草菌以外の菌である雑菌が生息していない環境では、枯草菌の活性が極めて活発に活性し繁殖する。
【０１１１】
本発明では、加熱煮沸され生き延びた枯草菌を無菌となった大鋸屑、活性炭、もみ殻などのペレット内に閉じ込めたものである。
【０１１２】
加熱煮沸し無菌となったペレット内に枯草菌を閉じ込めて、トイレ容器内に投入し猫の糞尿のトイレ砂、糞尿の分解床として用いたもので有る。
【０１１３】
この本発明のペレットに、し尿糞が当たると水分を急速に吸収し、固形物のペレットが崩壊しバラバラの、大鋸屑、もみ殻、活性炭に戻り、トイレ容器内のペレットの分解養生床が、枯草菌のみの養生分解床となり他の雑菌が入り込む前に、枯草菌が増殖し枯草菌床となる。
【０１１４】
枯草菌のみがいち早く増殖する為には、ペレットが急速に崩壊し、大鋸屑、活性炭、もみ殻に戻る事にある。
【０１１５】
この為には、大鋸屑、活性炭、もみ殻等を圧縮するのに他の添加剤等を加えない無菌ものとする事がベストである。
【０１１６】
上記記載したように、枯草菌の最適の繁殖環境を得る為、本発明では、他の菌が殺菌され死滅した大鋸屑、もみ殻、活性炭に枯草菌のみ生息させたものを圧縮しペレットにしたもので、他の枯草菌の生息の妨げとなる添加剤等を加えない事を特徴としたものである。
【０１１７】
本発明の枯草菌が生息するペレットのバイオチップは、殺菌されたチップでこれを圧縮固形したものであるが、殺菌され無菌の気密性の高い、容器、袋等に殺菌された大鋸屑、もみ殻、活性炭顆粒状の混合したチップを入れ枯草菌を培養したものを、バイオトイレのチップとして用いても良い。
【０１１８】
糞尿を分解する菌に枯草菌を活用しているが、耐熱性に優れた特異な菌であるが、バイオチップとしている大鋸屑、もみ殻、竹炭等にカビ菌初め浮遊存在する菌が混入混在するバイオチップ内では、枯草菌が繁殖するには混在する多種の菌が、妨げとなり糞尿の分解に時間が必要としていた。
【０１１９】
本発明では、無菌状態の大鋸屑、もみ殻、活性炭に枯草菌を加え圧縮固形したもので、他の雑菌が混入していない分解菌床のペレットとした事で枯草菌の活性繁殖、増殖が速く糞尿等を分解する時間が、雑菌が混合している分解菌床より早く分解する。
【０１２０】
又、圧縮固形のペレットにしないで、気密性の高い殺菌し無菌の容器、袋等に上記記載したチップを挿入し、猫用バイオチップ材としたものでもある。
【０１２１】
この様に、他の雑菌が混入する前に枯草菌の分解菌床とする事で、枯草菌の繁殖が早く、一早く枯草菌だけの菌繁殖床となり、他の雑菌の混入を制し糞尿の分解する環境床が良くなり、他の雑菌が混在する分解菌床より糞尿が早く分解される利点がある。
【産業上の利用可能性】
【０１２２】
本発明の猫用バイオトイレとして発明されたものであるが、近年右方上がりでペット産業が伸び、背景に高齢者の方が猫を飼う傾向が高まっている。
【０１２３】
この猫バイオトイレを犬の糞の分解処理にも活用出来、バイオ分解菌を活用したペット、トイレの市場が大きくなりこのバイオトイレの応用範囲が広い。
【符号の説明】
【０１２４】
1箱型猫用バイオトイレ
2猫踏み板  
3持つ手  
4攪拌機を回す丸形ハンドル  
5トレイ  
6攪拌機軸    
7バイオチップ  
8攪拌爪  
9糞破砕爪  
10バイオトイレ容器  
11バイオチップの排出用開口部  
12排出用開口部を覆う網  
13ノブボルト  
14アルミリベット
【図１】
2019024460.tif 000003
【図２】
2019024460.tif 000004
【図３】
2019024460.tif 000005
【図４】
2019024460.tif 000006
【図５】
2019024460.tif 000007
【図６】
2019024460.tif 000008
【図７】
2019024460.tif 000009
【図８】
2019024460.tif 000010
【図９】
2019024460.tif 000011
【図１０】
2019024460.tif 000012
【図１１】
2019024460.tif 000013
【図１２】
2019024460.tif 000014
【図１３】
2019024460.tif 000015
【図１４】
2019024460.tif 000016
【図１５】
2019024460.tif 000017